(57)【特許請求の範囲】
【請求項１】
フランジを有する円筒状のスリーブを、当該スリーブに捩じ込まれたタップから取り外すためのスリーブ取外工具において、
前記フランジにおける一方の環状面と略全周にわたって当接する第１の当接面と、前記第１の当接面から軸方向に沿って突出して設けられた内ネジ部とを有する略円筒状の第１の締結部材と、
前記フランジにおける他方の環状面と略全周にわたって当接するとともに、前記第１の当接面と協働して前記フランジを狭持する第２の当接面と、前記内ネジ部に螺合する外ネジ部とを有する略円筒状の第２の締結部材と
を有することを特徴とするスリーブ取外工具。
【請求項２】
前記第１の締結部材および前記第２の締結部材のうち少なくともいずれか一方は、外周面から内周面まで貫通するとともに、前記タップの外周面の径よりも大きい幅で軸方向に沿って形成された切欠部を有することを特徴とする請求項１に記載されたスリーブ取外工具。
【請求項３】
フランジを有する円筒状のスリーブを、当該スリーブに捩じ込まれたタップから取り外すためのスリーブ取外方法において、
前記フランジにおける一方の環状面と略全周にわたって当接する第１の当接面を有する第１の締結部材と、前記フランジにおける他方の環状面と略全周にわたって当接する第２の当接面を有する第２の締結部材とを締結して一体化することによって、前記第１の当接面と、前記第２の当接面とで前記フランジを狭持する第１のステップと、
前記第１の締結部材および前記第２の締結部材に対して前記タップを軸周りに相対的に回転させることによって、前記タップから前記スリーブを取り外す第２のステップと
を有することを特徴とするスリーブ取外方法。
【発明の詳細な説明】
【技術分野】
【０００１】
本発明は、フランジを有する円筒状のスリーブを、このスリーブに捩じ込まれたタップから取り外すためのスリーブ取外工具およびスリーブ取外方法に関する。
【背景技術】
【０００２】
特許文献１には、フランジを有する円筒状のスリーブを、複数の母材に形成された貫通孔に圧入し、このスリーブにリベットを挿入して取り付けることによって、各母材を接合するファスナーが開示されている。このスリーブは、貫通孔の保護や、電気的な接続の確保などの目的で用いられる。ところで、誤った長さを有するスリーブを貫通孔に圧入してしまった場合には、スリーブを母材から取り外す必要が生じる。しかしながら、スリーブは、非常に薄く形成されているので、工具で掴むことができず取り外しは困難であるという問題がある。そこで、スリーブにタップを捩じ込んでスリーブの内周面にネジを切ることによって、スリーブと、タップとを噛み合わせた後、タップを母材から引き抜いてタップごと母材からスリーブを取り外す方法が考えられる。
【先行技術文献】
【特許文献】
【０００３】
【特許文献１】特開２００９−１４４９１４号公報
【発明の概要】
【発明が解決しようとする課題】
【０００４】
このような方法によると、スリーブには、タップが捩じ込まれたままであるので、タップからスリーブを取り外す必要が生じる。しかしながら、例えば、スリーブをペンチなどの工具で掴み、タップを回転させることによって、タップからスリーブを取り外そうとすると、スリーブは、非常に薄く形成されているので、スリーブを破壊してしまう場合があるという問題がある。すなわち、スリーブをタップから容易に取り外すことができないという問題がある。
【０００５】
本発明の目的は、スリーブを破壊することなく、タップから容易に取り外すことができるスリーブ取外工具およびスリーブ取外方法を提供することである。
【課題を解決するための手段】
【０００６】
かかる課題を解決すべく、第１の発明は、フランジを有する円筒状のスリーブを、このスリーブに捩じ込まれたタップから取り外すためのスリーブ取外工具を提供する。スリーブ取外工具は、略円筒状の第１の締結部材と、略円筒状の第２の締結部材とを有する。第１の締結部材は、フランジにおける一方の環状面と略全周にわたって当接する第１の当接面と、第１の当接面から軸方向に沿って突出して設けられた内ネジ部とを有する。第２の締結部材は、フランジにおける他方の環状面と略全周にわたって当接するとともに、第１の当接面と協働してフランジを狭持する第２の当接面と、内ネジ部に螺合する外ネジ部とを有する。
【０００７】
ここで、第１の発明において、第１の締結部材および第２の締結部材のうち少なくともいずれか一方は、外周面から内周面まで貫通するとともに、タップの外周面の径よりも大きい幅で軸方向に沿って形成された切欠部を有することが好ましい。
【０００８】
第２の発明は、フランジを有する円筒状のスリーブを、このスリーブに捩じ込まれたタップから取り外すためのスリーブ取外方法を提供する。スリーブ取外方法は、第１のステップと、第２のステップとを有する。第１のステップでは、フランジにおける一方の環状面と略全周にわたって当接する第１の当接面を有する第１の締結部材と、フランジにおける他方の環状面と略全周にわたって当接する第２の当接面を有する第２の締結部材とを締結して一体化することによって、第１の当接面と、第２の当接面とでフランジを狭持する。第２のステップでは、第１の締結部材および第２の締結部材に対してタップを軸周りに相対的に回転させることによって、タップからスリーブを取り外す。
【発明の効果】
【０００９】
本発明によれば、フランジにおける環状面を、第１の締結部材における第１の当接面と、第２の締結部材における第２の当接面とで略全周にわたって狭持することができる。したがって、第１の締結部材および第２の締結部材に対してタップを軸周りに相対的に回転させることによって、スリーブを破壊することなく、タップから取り外すことができる。
【図面の簡単な説明】
【００１０】
【図１】スリーブ、タップ、およびブリッジの外観斜視図
【図２】スリーブを母材から取り外す手順の説明図
【図３】ブリッジをタップに取り付けた状態における外観斜視図
【図４】スリーブ、タップ、およびスリーブ取外工具の外観斜視図
【図５】第１の締結部材の外観斜視図
【図６】第２の締結部材の外観斜視図
【図７】第１の締結部材と、第２の締結部材とを締結する手順の説明図
【図８】第１の締結部材と、第２の締結部材とを締結した状態の外観斜視図
【図９】スリーブをタップから取り外す手順の説明図
【発明を実施するための形態】
【００１１】
図１は、スリーブ、タップ、およびブリッジの外観斜視図である。まず、本発明のスリーブ取外工具を用いる対象となるスリーブ１と、スリーブ１に捩じ込まれたタップ２について説明する。スリーブ１は、円筒部１１と、円筒部１１の開口端に形成されたフランジ１２とを有する。円筒部１１は、母材１０に形成された貫通孔１０Ａに圧入される。また、スリーブ１は、タップ２と、ブリッジ３とを用いることによって、母材１０から取り外すことができる。タップ２は、外周面の先端側（図１の上方側）に形成された切れ刃部２１と、外周面の略中央に形成されたネジ部２２とを有する略円柱状のタップである。ブリッジ３は、タップ２に取り付けることによって、タップ２ごと母材１０からスリーブ１を引き抜くための略円筒状の治具である。
【００１２】
図２は、スリーブ１を母材１０から取り外す手順の説明図である。スリーブ１を母材１０から取り外すには、最初に、タップ２の切れ刃部２１をスリーブ１の円筒部１１に押し当てた状態において、タップ２を右ネジの方向に回転させる。これによって、円筒部１１に切れ刃部２１を捩じ込む（図２（Ａ））。すなわち、円筒部１１の内周面にネジを切ることによって、スリーブ１と、タップ２とを噛み合わせる。なお、本実施形態では、ワンウェイベアリング（図示略）を用いてタップ２の基端部を回転させることによってタップ２を回転させる。
【００１３】
図３は、ブリッジ３をタップ２に取り付けた状態における外観斜視図である。ブリッジ３は、ナット部３１と、ネジ部３２（図２（Ｂ），（Ｃ）参照）とを有する。ナット部３１は、基端部（図３の下方側の部分）の外周面に形成される。ネジ部３２は、基端部の内周面に形成される。このネジ部３２は、タップ２のネジ部２２と螺合する。ブリッジ３をタップ２に取り付けるには、ブリッジ３の内部にタップ２を収納し、ナット部３１を左ネジの方向に回転させることによって、ネジ部３２をネジ部２２に螺合させる（図２（Ｂ））。そして、ブリッジ３の先端と、母材１０とを当接させた状態において、タップ２を右ネジの方向に更に回転させると、ブリッジ３は、母材１０に対して突っ張ることになるので、タップ２は、スリーブ１ごと母材１０から引き抜かれる（図２（Ｃ））。これによって、スリーブ１は、タップ２が捩じ込まれた状態で母材１０から取り外される（図２（Ｄ））。
【００１４】
図４は、スリーブ１、タップ２、およびスリーブ取外工具の外観斜視図である。以下、本発明のスリーブ取外工具４について説明する。スリーブ取外工具４は、スリーブ１をタップ２から取り外すための工具である。このスリーブ取外工具４は、第１の締結部材５と、第２の締結部材６とを有する。
【００１５】
図５は、第１の締結部材５の外観斜視図である。第１の締結部材５は、第１の当接面５１と、内ネジ部５２と、ナット部５３とを有し、略円筒状に形成される。第１の当接面５１は、スリーブ１のフランジ１２における一方の環状面（図４における上方側の面）と全周にわたって当接する。内ネジ部５２は、第１の当接面５１から軸方向に突出して設けられる。ナット部５３は、外周面に形成される。
【００１６】
図６は、第２の締結部材６の外観斜視図である。第２の締結部材６は、第２の当接面６１と、外ネジ部６２と、切欠部６３とを有し、略円筒状に形成される。第１の当接面６１は、フランジ１２における他方の環状面（図４における下方側の面）と略全周にわたって当接する。外ネジ部６２は、外周面における第２の当接面６１側に形成される。切欠部６３は、外周面から内周面まで貫通するとともに、タップ２の外周面の径よりも大きい幅で軸方向に沿って形成される。
【００１７】
図７は、第１の締結部材５と、第２の締結部材６とを締結する手順の説明図である。図８は、第１の締結部材５と、第２の締結部材６とを締結した状態の外観斜視図である。以下、スリーブ取外工具４を用いることによって、スリーブ１をタップ２から取り外す手順について説明する。最初に、切欠部６３を介してタップ２に第２の締結部材６を挿入し（図４の矢印Ａ）、フランジ１２における他方の環状面に第２の当接面６１を当接させる（図７（Ａ））。そして、第１の締結部材５の内部にスリーブ１の円筒部１１を挿入し（図４の矢印Ｂ）、ナット部５３を右ネジの方向に回転させることによって、内ネジ部５２を外ネジ部６２に螺合させる。これによって、フランジ１２における一方の環状面に第１の当接面５１を当接させる（図７（Ｂ））。すなわち、図８に示すように、第１の締結部材５と、第２の締結部材６とを締結して一体化することによって、第１の当接面５１と、第２の当接面６１とでフランジ１２を狭持する。
【００１８】
図９は、スリーブ１をタップ２から取り外す手順の説明図である。第１の締結部材５と、第２の締結部材６とを締結して一体化した状態において、第１の締結部材５のナット部５３を把持し、タップ２を軸周りに左ネジの方向に回転させることによって、第１の締結部材５および第２の締結部材６ごとスリーブ１をタップ２から取り外す（図９（Ａ））。そして、第１の締結部材５と、第２の締結部材６との締結を解除することによって、スリーブ１を取り出す（図９（Ｂ））。
【００１９】
このように、本実施形態によれば、フランジ１２における環状面を、第１の締結部材５における第１の当接面５１と、第２の締結部材６における第２の当接面６１とで略全周にわたって狭持することができる。したがって、第１の締結部材５および第２の締結部材６に対してタップ２を軸周りに相対的に回転させることによって、スリーブ１を破壊することなく、タップ２から取り外すことができる。また、第１の締結部材５および第２の締結部材６は、スリーブ１よりも大きい径を有するので、第１の締結部材５のナット部５３を把持してタップ２を軸周りに相対的に回転させることによって、スリーブ１を把持する場合と比較して小さい力でスリーブ１をタップ２から容易に取り外すことができる。
【００２０】
なお、上述した実施形態では、内ネジを有する第１の締結部材５をスリーブ１のフランジ１２に対して円筒部１１側に、外ネジを有する第２の締結部材６をスリーブ１のフランジ１２に対して円筒部１１と反対側に、それぞれ当接させた。これに対して逆に、第１の締結部材５をスリーブ１のフランジ１２に対して円筒部１１と反対側に、第２の締結部材６をスリーブ１のフランジ１２に対して円筒部１１側に、それぞれ当接させてもよい。要するに、第１の締結部材５と第２の締結部材６とを締結して一体化することによって、第１の当接面５１と第２の当接面６１とでフランジ１２を狭持すればよい。この場合、第２の締結部材６の切欠部６３は、スリーブ１の円筒部１１の径より大きい幅とする。
【００２１】
また、上述した実施形態では、第２の締結部材６は、外周面から内周面まで貫通するとともに、タップ２の外周面の径よりも大きい幅で軸方向に沿って形成された切欠部６３を有していたが、切欠部６３を有していなくてもよい。すなわち、第２の締結部材は円筒状に形成してもよい。この場合、当該円筒の内径をタップ２のネジ部２２の外径よりも大きくし、タップ２とスリーブ１が噛み合った状態（図４）においても、タップ２の後端側（図４の下側）より挿入させることにより、第２の締結部材６をフランジ１２に当接させればよい。また、第２の締結部材６に替えて第１の締結部材５が切欠部を有していてもよく、第２の締結部材６と第１の締結部材５が共に切欠部を有していてもよい。
【００２２】
ただし、第１の当接面５１と第２の当接面６１とでフランジ１２をより確実に狭持するためには、フランジ１２に対して円筒部１１側に当接する締結部材は内ネジを有すると共に切欠部を有さず、フランジ１２に対して円筒部１１と反対側に当接する締結部材は外ネジと切欠部とを有するのが好ましい（図４の実施形態）。また、各々の締結部材の内径及び切欠部の幅は、可能な範囲で小さいことが好ましい。なぜなら、第１の当接面５１とフランジ１２との当接面積および第２の当接面６１とフランジ１２との当接面積はそれぞれ広いことが望ましく、特に軸中心部に向かって広いことが望ましいのであるが、フランジ１２に対して円筒部１１と反対側に当接させる締結部材を切欠部がない円筒状とする場合、締結部材をタップ２の後端側（図４の下側）より挿入させるためには締結部材の内径を大きくする必要があり、締結部材とフランジ１２との当接面積が十分に確保できないためである。また、切欠部は内ネジの締結部材よりも外ネジの締結部材に設けるほうが、締結部材同士の締結力がより強力になるためである。
【００２３】
また、上述した実施形態では、第１の締結部材５のナット部５３を把持し、タップ２を軸周りに左ネジの方向に回転させることによって、第１の締結部材５および第２の締結部材６ごとスリーブ１をタップ２から取り外していた。これに対して、第２の締結部材を把持し、タップを回転させることによって、第１の締結部材および第２の締結部材ごとスリーブをタップから取り外してもよい。さらに、第１の締結部材５および第２の締結部材を把持するための構造は六角ナットに限定されず、四角ナットでもよいし、締結部材の外周から軸方向に略垂直にアーム等を設けてこれを把持してもよい。
【００２４】
また、上述した実施形態では、第１の当接面５１は、スリーブ１のフランジ１２における一方の環状面と全周にわたって当接していたが、第１の当接面は、略全周に当接していればよい。例えば、第１の当接面および第２の当接面には、複数の穴や、凹凸などを形成してもよい。また、例えば、第１の当接面および第２の当接面には、ゴムなどの摩擦係数の高い部材を取り付けてもよい。要するに、第１の当接面および第２の当接面は、フランジにおける環状面と略全周にわたって当接していればよい。
【００２５】
また、上述した実施形態では、内ネジ部５２と、外ネジ部６２とを螺合させることによって、第１の締結部材５と、第２の締結部材６とを締結して一体化していたが、ネジとは異なる手段によって、第１の締結部材と、第２の締結部材とを締結して一体化してもよい。
【産業上の利用可能性】
【００２６】
以上のように、本発明は、フランジを有する円筒状のスリーブを、このスリーブに捩じ込まれたタップから取り外すためのスリーブ取外工具およびスリーブ取外方法に広く適用することができる。
【符号の説明】
【００２７】
１  スリーブ
２  タップ
３  ブリッジ
４  スリーブ取外工具
５  第１の締結部材
６  第２の締結部材
１０  母材
１０Ａ  貫通孔
１１  円筒部
１２  フランジ
２１  切れ刃部
２２  ネジ部
３１  ナット部
３２  ネジ部
５１  第１の当接面
５２  内ネジ部
５３  ナット部
６１  第２の当接面
６２  外ネジ部
６３  切欠部
【図１】
0005602606.tif 000002
【図２】
0005602606.tif 000003
【図３】
0005602606.tif 000004
【図４】
0005602606.tif 000005
【図５】
0005602606.tif 000006
【図６】
0005602606.tif 000007
【図７】
0005602606.tif 000008
【図８】
0005602606.tif 000009
【図９】
0005602606.tif 000010